(57)【要約】【課題】百貨店に物品販売店舗を出店しているテナントの用いる包装用物品に、包装されている商品の印象を高める効果を持たせる。【解決手段】包装用袋、包装用紙、包装用ケースなどの包装用物品に、当該テナントに固有の表示だけでなく、出店している百貨店に固有の表示も印刷する。百貨店及びテナントの固有の表示には、商標・商号が含まれるとともに、図案や定番デザインも含まれ、出店している百貨店が複数の所在地に店舗を運営している場合は、店舗を識別する表示も含まれる。印刷の仕方は、テナント又は百貨店のいずれか一方に固有の表示を主体的に印刷し、その余白領域に他方に固有の表示を印刷してもよく、両者に固有の表示をデザイン上一体的に組み合わせて印刷してもよい。【選択図】図２
0003138625.tif 000002
【実用新案登録請求の範囲】
【請求項１】
百貨店に物品販売店舗を出店しているテナントの用いる包装用物品であって、
当該テナントに固有の表示が印刷されているとともに、出店している百貨店に固有の表示が印刷されていることを特徴とする包装用物品。
【請求項２】
前記包装用物品には、包装用袋、包装用紙、包装用ケースのいずれかが少なくとも含まれることを特徴とする請求項１に記載の包装用物品。
【請求項３】
百貨店及びテナントの前記固有の表示には、図柄も含みうるとともに、出店している百貨店が複数の所在地に店舗を運営している場合は、店舗を識別する表示も含むことを特徴とする請求項１または２のいずれかに記載の包装用物品。
【請求項４】
テナントに固有の表示が主体的に印刷され、この印刷された領域の余白に、百貨店に固有の表示が印刷されていることを特徴とする請求項１〜３のいずれか１に記載の包装用物品。
【請求項５】
百貨店に固有の表示が主体的に印刷され、この印刷された領域の余白に、テナントに固有の表示が印刷されていることを特徴とする請求項１〜３のいずれか１に記載の包装用物品。
【請求項６】
テナントに固有の表示と、百貨店に固有の表示とが、デザイン上一体的に印刷されていることを特徴とする請求項１〜３のいずれか１に記載の包装用物品。
【請求項７】
百貨店に出店しているテナント用の包装用物品であって、百貨店専用の包装用物品の一部と、テナント専用の包装用物品の一部とを組み合わせてなることを特徴とする包装用物品。
【考案の詳細な説明】
【技術分野】
【０００１】
百貨店に出店するテナントが使用する手提げ袋などの包装用物品であって、テナントに固有の表示とともに、出店している百貨店に固有の表示も併せて印刷されている包装用物品に関する。
【背景技術】
【０００２】
商品を販売する小売業者は、客が購入した商品を包装紙で包んだり、さらに手提げ袋に入れたりして客に手渡す。これは、客が商品を自宅などに持ち帰るまでに破損したり汚したりしないようにすることが目的であるが、同時に、広告的効果も目的としている。すなわち、包装紙や手提げ袋に当該小売業者の商標や商号などを遠目からでも認識されうるように印刷し、持ち歩く客にいわば「歩く広告」になってもらうことも意図している。
【考案の開示】
【考案が解決しようとする課題】
【０００３】
しかし、手提げ袋などに、自己に固有の表示を付しても、次のような問題がある。
すなわち、百貨店に出店している小売業者（テナント）は、駅の構内やスーパーマーケットなどにも出店していることが多くなっており、手提げ袋などを見ただけでは、どこに出店している店舗で購入したかがわからない、という問題である。
ところで、かつての百貨店は、都心あるいは県庁所在地の一等地に立地し、高級品を取り揃え、盛装して出かける場所である、といったイメージを持たれていた。ところが、最近では、食品を安売りすることで集客するスーパーマーケットなども、老舗の小売業者をテナントとするようになり、百貨店とスーパーマーケットなどとの境界が曖昧となってきている。しかし、高齢者、特に富裕層の老婦人などは、いまだに百貨店に対するかつてのイメージを保持しており、同一の老舗の同一の商品であっても、駅などの売店で購入したのか、都心の有名百貨店で購入したのかについて、こだわりを持つ人が多い。
【０００４】
また、若い女性などは、誕生日やクリスマスに、有名ブランドのバッグやアクセサリを贈られることを喜ぶが、このようなブランド品は、量販店やディスカウント・ショップなどでも扱われるようになってきている。このような店で購入した場合も、その有名ブランドの包み紙や手提げ袋などで包装されるので、包装を見ただけでは、贈ってくれた人が、量販店で買ったのか、百貨店で買ったのかがわからない。中身はまったく同じであるとはいえ、イメージが重要なブランド品にとって、贈り主が量販店で買ってきたのか、百貨店で買ってきたのかによって、相手に対する贈られた側の印象が変わってくる。
【０００５】
本考案は、このような問題点に鑑み、手提げ袋などの包装を一見しただけで、どの百貨店に出店しているどの小売業者の商品であるかが、ただちにわかるような包装用の袋や包装紙などを提供することを目的とする。
なお、特許電子図書館にて検索したが、本考案と目的を同じくするような先行特許文献は見当たらなかった。
【課題を解決するための手段】
【０００６】
前記した目的を達成するために、本考案は、百貨店に物品販売店舗を出店しているテナントの用いる包装用物品であって、当該テナントに固有の表示が印刷されているとともに、出店している百貨店に固有の表示が印刷されていることを特徴とする。
これにより、テナント名だけでなく、百貨店名も見て取れるので、見舞い品や誕生日祝いとして贈られた相手方が好印象を持つ。
【０００７】
また、前記包装用物品は、包装用袋、包装用紙、あるいは包装用ケースなど、何でもよい。
包装用袋には、手提げ部分のある袋と、無い袋とがあるが、いずれも含まれる。
ゴミ削減の観点から簡易包装が推奨されるようになってきたので、商品をボール紙などで作られた箱や筒などに入れ、リボンやテープで封をすることも行われている。これらの箱や筒などの包装用ケースも、本考案の包装用物品に含まれる。
【０００８】
さらに、百貨店及びテナントの前記固有の表示には、図柄も含みうるとともに、出店している百貨店が複数の所在地に店舗を運営している場合は、店舗を識別する表示も含むことを特徴とする。
固有の表示というと、商標・商号などが代表的であるが、その百貨店などが包装紙などに長年使用してきた図柄・デザインも含まれる。百貨店名などが表示されていなくても、図柄だけで、どこの百貨店かがわかるからである。また、有名ブランドは、その扱う商品の定番デザインを包装紙などにも印刷することが多い。この印刷されている定番デザインも固有の表示に該当する。
一方、有名百貨店は、通常、複数の店舗を各地で展開しているため、「店舗を識別する表示」には、「○○デパート横浜店」のように、所在地も含まれる。所在地も含むことが好ましいのは、同じ百貨店であっても、都心の本店と、郊外の支店とでは、品物を贈られる側の受けとる印象が異なるからである。
【０００９】
百貨店及びテナントのそれぞれの固有の表示の印刷の仕方は、一目で両者が見て取れるものであれば限定しないが、例えば、テナントに固有の表示が主体的に印刷され、この印刷された領域の余白に、百貨店に固有の表示が印刷されていてもよい。
通常のテナントの手提げ袋の片隅などに百貨店のマークが印刷されている場合や百貨店のマークが点在して印刷されている場合も含む。
【００１０】
あるいは、主体的に印刷されているのは、百貨店に固有の表示であって、この印刷された領域の余白に、テナントに固有の表示が印刷されていてもよい。
【００１１】
また、テナントに固有の表示と、百貨店に固有の表示とが、デザイン上一体的に印刷されていてもよい。
【００１２】
さらに、百貨店専用の包装用物品の一部と、テナント専用の包装用物品の一部とを組み合わせて、新たな包装用物品を構成し、百貨店のテナント用に用いてもよい。具体例としては、百貨店専用の手提げ袋の２つの側面部分を切り取り、切り取った部分にテナント専用の手提げ袋の側面部分を貼り付けて、新たに作成されたような外観を呈する手提げ袋がある。
【考案の効果】
【００１３】
小売業者（テナント）名と、その小売業者が店舗を出店している百貨店名とが、同時に視覚的に認識できるので、買い物客が持つ手提げ袋や包装紙により、百貨店とテナントの双方にとって同時に宣伝になる。あわせて、包装されている商品のイメージも高まる。
本考案の包装用物品の使用を通じて、百貨店とそのテナントとの一体感が生じ、帰属意識が高まることによって、より活性化された業績向上が見込まれるとともに、顧客に対しても斬新で百貨店らしい高級感のあるサービスを提供することができる。
【考案を実施するための最良の形態】
【００１４】
本考案の第１の実施形態は、図２に例示する手提げ袋１のように、テナントの固有の表示２を主として、百貨店の固有の表示３を従として、これらの表示を併記するように印刷したものである。
従来の手提げ袋３１は、図１のように、「○◇屋の和菓子」というテナントに固有の表示２のみが印刷されていた。これではこの手提げ袋３１に入った品物を受け取る人は、「○◇屋の和菓子」であっても、贈ってくれた人が駅の売店で買ったのか、スーパーマーケットで買ったのか、あるいは百貨店で買ったのかがわからない。しかし、図１の手提げ袋３１の余白部分に、図２のように、「◎◎百貨店東京本店」という表示３を付記することで、相手がどこで買ってきたのかがわかり、好印象をもたれる。
【００１５】
なお、図２の手提げ袋１では、テナントの表示２が主体であるが、図３に示す手提げ袋４のように、百貨店の表示３を主体的に印刷した領域の余白にテナントの表示２が付記されるように印刷されていてもよい。
要は、百貨店の表示とテナントの表示とが、ほぼ同時に視認できるような位置に、通常の視力の持ち主であれば一目でわかるような大きさで印刷されていればよい。したがって、百貨店の表示は袋の表面に、テナントの表示は袋の底面に印刷されているような態様は好ましくない。また、通常の視力の持ち主でも、目を近づけなくてはわからないような大きさで印刷されているのも好ましくない。
【００１６】
本考案の第２の実施形態は、図５に例示する手提げ袋５のようなものである。
図４に示す従来の手提げ袋３２は、テナントによって長年使用されている図案６と、テナントの商号７が印刷されている。図案６は、「○◇屋」を示すものとして広く知られているならば、商標や商号を伴わなくても、「○◇屋」の包装とわかる。つまり、図案６単独でも、「○◇屋」にとっての固有の表示といえる。この実施形態の手提げ袋５は、「○◇屋」の商号７の代わりに、「◎◎百貨店東京本店」という百貨店に固有の表示８を付したものである。
手提げ袋５に接する人は、図案６と表示８とから「◎◎百貨店の東京本店で買った○◇屋のお菓子」であることがわかる。ここで、余白があり、デザイン上の問題もなければ、「○◇屋」の商号７も残しておいて差し支えない。
なお、手提げ袋５では、テナントの表示が主体であるが、百貨店の表示を主体的に印刷した余白にテナント名等が点在するように印刷されていてもよい。
【００１７】
本考案の第３の実施形態は、図６に示す手提げ袋９のようなものである。手提げ袋９では、テナントの表示と百貨店の表示とがデザイン上組み合わさって１個の表示１０として印刷されている。
本考案は、包装用の物品を通して、百貨店とテナントの双方が有する良いイメージが喚起され、両者のイメージの相乗効果によって、包装された商品の商品価値を一層高めることを目的とする。この目的が達せられるならば、テナントの表示と百貨店の表示とを別々に印刷しても、デザイン上一体的に印刷してもよい。そのためには、テナントと百貨店との合意が必要であるが、それは契約の問題であって、本考案とは無関係である。
【００１８】
テナントと百貨店との合意を前提とすれば、図７に例示するような第４の実施形態も可能である。
テナントの表示１１のみが印刷されている手提げ袋３３は、従来からテナント専用に使用されている。従来から百貨店専用に使用されている手提げ袋３４には、百貨店の表示１２のみが印刷されている。この実施形態の手提げ袋１３は、表面に百貨店の表示１２が印刷され、側面にテナントの表示１１が印刷されている。あたかも、百貨店の手提げ袋の一部に、有名ブランドあるいは老舗の手提げ袋のデザイン・図柄などの一部を組み合わせて、新たな手提げ袋１３を制作したかのような外観を呈することになる。ひとつの百貨店の手提げ袋のデザインに、各テナントのデザインが組み合わさるため、テナント毎に異なった手提げ袋となる。
【００１９】
包装用物品のデザインの一部同士を組み合わせて新たなデザインの包装用物品を作るという、第４の実施形態の考え方は、図７のような手提げ袋に限らず、包装紙などにも適用できる。
図８は、このような包装紙の一例を示すものである。
テナント専用の包装紙３５には、テナントの表示１１のみが印刷され、百貨店専用の包装紙３６には、百貨店の表示１２のみが印刷されている。この実施形態の包装紙１４は、包装紙３５と包装紙３６のそれぞれを小さい矩形に裁断し、パッチワークのようにつなぎ合わせたかのような外観を呈するように印刷されている。一枚の百貨店の包装紙に、各テナントのデザインが組み合わさるため、テナント毎に異なった包装紙となる。
なお、２種類の包装紙のデザイン上の組み合わせ方は、どのようなものでもよい。
【００２０】
前記した実施形態は、手提げ袋あるいは包装紙に本考案を適用したものであるが、手提げ部分の無い包装用袋、包装ケースなどの他の包装用物品にも適用できることは言うまでもない。品物を受け取った人が、包装袋や包装紙などを見ただけで、例えば、「○◇屋のお菓子を、◎◎百貨店の東京本店で買ってきてくれた」と直ぐにわかりさえすればよい。
【産業上の利用可能性】
【００２１】
テナントと百貨店の双方にとって効果的な宣伝になるとともに、包装されている商品の価値を高める有効な販売促進手段となる。
【図面の簡単な説明】
【００２２】
【図１】従来の手提げ袋を示す斜視図である。
【図２】第１の実施形態の手提げ袋を示す斜視図である。
【図３】第１の実施形態の他の手提げ袋を示す斜視図である。
【図４】従来の手提げ袋を示す斜視図である。
【図５】第２の実施形態の手提げ袋を示す斜視図である。
【図６】第３の実施形態の手提げ袋を示す斜視図である。
【図７】第４の実施形態の手提げ袋を示す斜視図である。
【図８】第４の実施形態の変形である包装紙を示す図である。
【符号の説明】
【００２３】
１、４、５、９、１３  本考案の実施例である手提げ袋（包装用物品の一例）
１４  本考案の実施例である包装紙（包装用物品の一例）
３１、３２、３３、３５  テナント専用の包装用物品
３４、３６  百貨店専用の包装用物品
２、６、７、１１  テナントの固有の表示
３、８、１２  百貨店の固有の表示
１０  一体化されたテナントおよび百貨店の固有の表示
【図１】
0003138625.tif 000003
【図２】
0003138625.tif 000004
【図３】
0003138625.tif 000005
【図４】
0003138625.tif 000006
【図５】
0003138625.tif 000007
【図６】
0003138625.tif 000008
【図７】
0003138625.tif 000009
【図８】
0003138625.tif 000010
【手続補正書】
【提出日】平成19年11月13日(2007.11.13)
【手続補正１】
【補正対象書類名】実用新案登録請求の範囲
【補正対象項目名】全文
【補正方法】変更
【補正の内容】
【実用新案登録請求の範囲】
【請求項１】
百貨店に物品販売店舗を出店しているテナントによって用いられる、上端が開口した袋状の本体部と手提げ部とを備え、本体部は１つの底面と４つの側面からなる包装用手提げ袋であって、
１ないし３つの側面の外方に面する側には当該テナントに固有の表示が印刷されているとともに、他の側面の外方に面する側には出店している百貨店に固有の表示が印刷されていることを特徴とする包装用手提げ袋。
【請求項２】
百貨店に物品販売店舗を出店しているテナントによって用いられる、上端が開口した袋状の本体部と手提げ部とを備え、本体部は１つの底面と４つの側面からなる包装用手提げ袋であって、
少なくとも１つの側面の外方に面する側に、当該テナントに固有の表示と、出店している百貨店に固有の表示とが、同時に視認しうる大きさで隣り合った位置に印刷されていることを特徴とする包装用手提げ袋。
【請求項３】
百貨店及びテナントの前記固有の表示には、図柄も含みうるとともに、出店している百貨店が複数の所在地に店舗を運営している場合は、店舗を識別する表示も含むことを特徴とする請求項１または２のいずれかに記載の包装用手提げ袋。
【手続補正２】
【補正対象書類名】明細書
【補正対象項目名】全文
【補正方法】変更
【補正の内容】
【考案の詳細な説明】
【技術分野】
【０００１】
百貨店に出店するテナントが使用する手提げ袋であって、テナントに固有の表示とともに、出店している百貨店に固有の表示も併せて印刷されている包装用手提げ袋に関する。
【背景技術】
【０００２】
商品を販売する小売業者は、客が購入した商品を包装紙で包んだり、さらに手提げ袋に入れたりして客に手渡す。これは、客が商品を自宅などに持ち帰るまでに破損したり汚したりしないようにすることが目的であるが、同時に、広告的効果も目的としている。すなわち、包装紙や手提げ袋に当該小売業者の商標や商号などを遠目からでも認識されうるように印刷し、持ち歩く客にいわば「歩く広告」になってもらうことも意図している。
【考案の開示】
【考案が解決しようとする課題】
【０００３】
しかし、手提げ袋などに、自己に固有の表示を付しても、次のような問題がある。
すなわち、百貨店に出店している小売業者（テナント）は、駅の構内やスーパーマーケットなどにも出店していることが多くなっており、手提げ袋などを見ただけでは、どこに出店している店舗で購入したかがわからない、という問題である。
ところで、かつての百貨店は、都心あるいは県庁所在地の一等地に立地し、高級品を取り揃え、盛装して出かける場所である、といったイメージを持たれていた。ところが、最近では、食品を安売りすることで集客するスーパーマーケットなども、老舗の小売業者をテナントとするようになり、百貨店とスーパーマーケットなどとの境界が曖昧となってきている。しかし、高齢者、特に富裕層の老婦人などは、いまだに百貨店に対するかつてのイメージを保持しており、同一の老舗の同一の商品であっても、駅などの売店で購入したのか、都心の有名百貨店で購入したのかについて、こだわりを持つ人が多い。
【０００４】
また、若い女性などは、誕生日やクリスマスに、有名ブランドのバッグやアクセサリを贈られることを喜ぶが、このようなブランド品は、量販店やディスカウント・ショップなどでも扱われるようになってきている。このような店で購入した場合も、その有名ブランドの包み紙や手提げ袋などで包装されるので、包装を見ただけでは、贈ってくれた人が、量販店で買ったのか、百貨店で買ったのかがわからない。中身はまったく同じであるとはいえ、イメージが重要なブランド品にとって、贈り主が量販店で買ってきたのか、百貨店で買ってきたのかによって、相手に対する贈られた側の印象が変わってくる。
【０００５】
本考案は、このような問題点に鑑み、包装用物品、特に手提げ袋を一見しただけで、どの百貨店に出店しているどの小売業者の商品であるかが、ただちにわかるような包装用手提げ袋を提供することを目的とする。
なお、特許電子図書館にて検索したが、本考案と目的を同じくするような先行特許文献は見当たらなかった。
【課題を解決するための手段】
【０００６】
前記した目的を達成するために、本考案は、百貨店に物品販売店舗を出店しているテナントによって用いられる、上端が開口した袋状の本体部と手提げ部とを備え、本体部は１つの底面と４つの側面からなる包装用手提げ袋であって、
１ないし３つの側面の外方に面する側には当該テナントに固有の表示が印刷されているとともに、他の側面の外方に面する側には出店している百貨店に固有の表示が印刷されていることを特徴とする。
たとえば、テナント固有表示が３つの側面全体に印刷されていれば、残りの１つの側面全体には百貨店固有表示が印刷されている。
この請求項の具体例として、百貨店専用の手提げ袋の２つの側面部分を切り取り、切り取った部分にテナント専用の手提げ袋の側面部分を貼り付けて、新たに作成されたような外観を呈する手提げ袋がある。
これにより、どのテナントであるかがわかるだけでなく、どの百貨店かも見て取れるので、見舞い品や誕生日祝いとして贈られた相手方が好印象を持つ。
【０００７】
前記した目的を達成するために、本考案の手提げ袋は、少なくとも１つの側面の外方に面する側に、当該テナントに固有の表示と、出店している百貨店に固有の表示とが、同時に視認しうる大きさで隣り合った位置に印刷されていることを特徴としてもよい。
【０００８】
さらに、百貨店及びテナントの前記固有の表示には、図柄も含みうるとともに、出店している百貨店が複数の所在地に店舗を運営している場合は、店舗を識別する表示も含むことを特徴とする。
固有の表示というと、商標・商号などが代表的であるが、その百貨店などが包装紙などに長年使用してきた図柄・デザインも含まれる。百貨店名などが表示されていなくても、図柄だけで、どこの百貨店かがわかるからである。また、有名ブランドは、その扱う商品の定番デザインを包装紙などにも印刷することが多い。この印刷されている定番デザインも固有の表示に該当する。
一方、有名百貨店は、通常、複数の店舗を各地で展開しているため、「店舗を識別する表示」には、「○○デパート横浜店」のように、所在地も含まれる。所在地も含むことが好ましいのは、同じ百貨店であっても、都心の本店と、郊外の支店とでは、品物を贈られる側の受けとる印象が異なるからである。
【０００９】
【００１０】
【００１１】
【００１２】
【考案の効果】
【００１３】
小売業者（テナント）名と、その小売業者が店舗を出店している百貨店名とが、同時に視覚的に認識できるので、買い物客が持つ手提げ袋により、百貨店とテナントの双方にとって同時に宣伝になる。あわせて、包装されている商品のイメージも高まる。
本考案の包装用手提げ袋の使用を通じて、百貨店とそのテナントとの一体感が生じ、帰属意識が高まることによって、より活性化された業績向上が見込まれるとともに、顧客に対しても斬新で百貨店らしい高級感のあるサービスを提供することができる。
【考案を実施するための最良の形態】
【００１４】
本考案の第１の実施形態は、図２に例示する手提げ袋１のように、テナントの固有の表示２と、百貨店の固有の表示３とを隣り合わせて併記するように印刷したものである。この実施形態は、請求項２に記載の考案に対応する。
従来の手提げ袋３１は、図１のように、「○◇屋の和菓子」というテナントに固有の表示２のみが印刷されていた。これではこの手提げ袋３１に入った品物を受け取る人は、「○◇屋の和菓子」であっても、贈ってくれた人が駅の売店で買ったのか、スーパーマーケットで買ったのか、あるいは百貨店で買ったのかがわからない。しかし、図１の手提げ袋３１の余白部分に、図２のように、「◎◎百貨店東京本店」という表示３を隣り合わせて併記することで、相手がどこで買ってきたのかがわかり、好印象をもたれる。
【００１５】
なお、図２の手提げ袋１では、テナントの表示２が主体であるが、図３に示す手提げ袋４のように、百貨店の表示３を主体的に印刷した領域の余白にテナントの表示２が付記されるように印刷されていてもよく、いずれを主体とするわけでもなく、同程度の大きさで並べて印刷されていてもよい。
要は、百貨店の表示とテナントの表示の双方が、同一の側面に、ほぼ同時に視認できるような位置に、通常の視力の持ち主であれば一目でわかるような大きさで印刷されていればよい。したがって、通常の視力の持ち主でも、目を近づけなくてはわからないような大きさで印刷されているのは好ましくない。
【００１６】
本考案の第２の実施形態は、図５に例示する手提げ袋５のようなものである。
図４に示す従来の手提げ袋３２は、テナントによって長年使用されている図案６と、テナントの商号７が印刷されている。図案６は、「○◇屋」を示すものとして広く知られているならば、商標や商号を伴わなくても、「○◇屋」の包装とわかる。つまり、図案６単独でも、「○◇屋」にとっての固有の表示といえる。この実施形態の手提げ袋５は、「○◇屋」の商号７の代わりに、「◎◎百貨店東京本店」という百貨店に固有の表示８を付したものである。
手提げ袋５に接する人は、図案６と表示８とから「◎◎百貨店の東京本店で買った○◇屋のお菓子」であることがわかる。
【００１７】
【００１８】
テナントと百貨店との合意を前提とすれば、図６に例示するような第３の実施形態も可能である。この実施形態は、請求項１に記載の考案に対応する。
テナントの表示１１のみが印刷されている手提げ袋３３は、従来からテナント専用に使用されている。従来から百貨店専用に使用されている手提げ袋３４には、百貨店の表示１２のみが印刷されている。この実施形態の手提げ袋１３は、１つの側面全体に百貨店の表示１２が印刷され、別の側面全体にテナントの表示１１が印刷されている。あたかも、百貨店の手提げ袋の一部に、有名ブランドあるいは老舗の手提げ袋のデザイン・図柄などの一部を組み合わせて、新たな手提げ袋１３を制作したかのような外観を呈することになる。ひとつの百貨店の手提げ袋のデザインに、各テナントのデザインが組み合わさるため、テナント毎に異なった手提げ袋となる。
【００１９】
本考案は、包装用手提げ袋を通して、百貨店とテナントの双方が有する良いイメージが喚起され、両者のイメージの相乗効果によって、包装された商品の商品価値を一層高めることに目的がある。したがって、本考案の考え方は、包装用紙、手提げ部分の無い包装用袋、包装ケースなどの他の包装用物品にも適用しうる。品物を受け取った人が、包装袋や包装紙などを見ただけで、例えば、「○◇屋のお菓子を、◎◎百貨店の東京本店で買ってきてくれた」と直ぐにわかりさえすればよい。
【００２０】
たとえば、２種類の包装用手提げ袋のデザインの一部同士を組み合わせて新たなデザインの包装用手提げ袋を作るという、第３の実施形態の考え方は、包装用紙などにも適用できる。
図７は、このような包装用紙の一例を示すものである。
テナント専用の包装紙３５には、テナントの表示１１のみが印刷され、百貨店専用の包装紙３６には、百貨店の表示１２のみが印刷されている。包装紙１４は、包装紙３５と包装紙３６のそれぞれを小さい矩形に裁断し、パッチワークのようにつなぎ合わせたかのような外観を呈するように印刷されている。一枚の百貨店の包装紙に、各テナントのデザインが組み合わさるため、テナント毎に異なった包装紙となる。
【産業上の利用可能性】
【００２１】
テナントと百貨店の双方にとって効果的な宣伝になるとともに、包装されている商品の価値を高める有効な販売促進手段となる。
【図面の簡単な説明】
【００２２】
【図１】従来の手提げ袋を示す斜視図である。
【図２】第１の実施形態の手提げ袋を示す斜視図である。
【図３】第１の実施形態の他の手提げ袋を示す斜視図である。
【図４】従来の手提げ袋を示す斜視図である。
【図５】第２の実施形態の手提げ袋を示す斜視図である。
【図６】第３の実施形態の手提げ袋を示す斜視図である。
【図７】本考案の考え方を手提げ袋以外の包装用物品に適応した例を示す図である。
【符号の説明】
【００２３】
１、４、５、１３  本考案の実施例である手提げ袋
３１、３２、３３  テナント専用の包装用手提げ袋
３４  百貨店専用の包装用手提げ袋
２、６、７、１１  テナントの固有の表示
３、８、１２  百貨店の固有の表示
【手続補正３】
【補正対象書類名】図面
【補正対象項目名】全図
【補正方法】変更
【補正の内容】
【図１】
0003138625.tif 000011
【図２】
0003138625.tif 000012
【図３】
0003138625.tif 000013
【図４】
0003138625.tif 000014
【図５】
0003138625.tif 000015
【図６】
0003138625.tif 000016
【図７】
0003138625.tif 000017